(57)【要約】【課題】氷雪を冷熱源とする保冷貯蔵庫における高湿度での湿度調整でき、低温度に維持できる断熱構造と、その工法を得ることにある。【解決手段】任意間隔を隔てて外面と内面との防水シートを対峙させ、少なくとも内面防水シートには無数の針孔を穿孔し、該内面防水シートと外面防水シートとの間には、廃棄発泡スチロールが所定の粒状に粉砕された発泡スチロール粒を充填して断熱層とし、且つ該断熱層には有孔管が配設されている断熱構造、及びその工法である。【選択図】図３
2007303801.tif 000002
【特許請求の範囲】
【請求項１】
氷雪を冷熱源とする保冷貯蔵庫において、構造躯体壁の内側に、任意間隔を隔て外面と内面との防水シートを対峙させ、少なくとも内面防水シートには無数の針孔を穿孔し、該内面防水シートと外面防水シートとの間には、廃棄発泡スチロールが所定の粒状に粉砕された発泡スチロール粒を充填して断熱層とし、且つ、発泡スチロール粒間の湿りをエアレーションさせて除去する有孔管が断熱層内に配管されることを特徴とする、断熱構造。
【請求項２】
外面と内面との防水シートでなる袋体を形成し、該袋体に発泡スチロール粒が充填されることを特徴とする請求項１記載の断熱構造。
【請求項３】
少なくとも内面の防水シートが透明であることを特徴とする請求項１乃至２のいずれか１項に記載の断熱構造。
【請求項４】
氷雪を冷熱源とする保冷貯蔵庫断熱工法において、構造躯体壁内側に、任意間隔を隔てて対峙させた外面と内面との防水シートを設け、少なくとも内面防水シートには無数の針孔を穿孔し、これを該防水シート間に廃棄発泡スチロールが所定粒状に粉砕された発泡スチロール粒を充填し、空気抜きして、断熱層を構成し、そして、この断熱層内に有孔官が配管されて、これを発泡スチロール粒間の湿りを除去するエアレーションがされることを特徴とする断熱工法。
【請求項５】
外面と内面との防水シートでなる袋体を形成し、この該袋体に発泡スチロール粒が充填されることを特徴とする請求項４記載の断熱工法。
【発明の詳細な説明】
【技術分野】
【０００１】  この発明は、氷雪を冷熱源とする保冷貯蔵庫の断熱構造及びその断熱工法に係るものである。
詳しくは、花き、野菜などの保冷貯蔵庫の断熱層に廃棄される発泡スチロールが任意粒状とされた発泡スチロール粒を用いて断熱層とした断熱構造とし、冷熱源として省エネルギー化を図るために氷雪が利用される保冷貯蔵庫の断熱工法に関するものである。
【背景技術】
【０００２】  従来、保冷貯蔵庫の断熱の為の設備投資、及びその保冷貯蔵庫の電気料などのランニングコストが大きく、花き、野菜などの保冷貯蔵庫では、これが簡易で低コストになることが、特に望まれている。【０００３】  そこで、アーチ状管材の骨組み囲繞で貯蔵空間部を形成し、該空間部に雪や農作物等を貯蔵し、この空間部と外気との断熱のための断熱層に木材チップやモミガラ等の廃材を所定層積層するものが考えられていた。（特許文献１）【０００４】  また、合理的に断熱層を構築するため、構造躯体壁にメッシュまたは網目状シートが間隔をおいて覆われ、この断熱性能上必要とされる厚さの間隔間にブローイングで粒状無機繊維綿が充填されるものが考えられていた（特許文献２）【０００５】
【特許文献１】特開２００５−２３３５３０
【特許文献２】特開２００５−１６０２８
【発明の開示】
【発明が解決しようとする課題】
【０００６】  しかしながら、花き、野菜などの保冷貯蔵庫は、低温に保つことは当然のこと、湿度が高いことを必要とするものであって、従来の保冷貯蔵庫の断熱層は、その構築時にこれらに保有してしまった湿り気が残存してしまって、これが保冷貯蔵庫の運転中に凍結したり膨張したりして、災いを起こしていた。
そこで、この断熱層中に残存する湿りを常に排除するために有孔管を断熱層内に配管してエアレーションを行うようにすることにあって、湿度調整するためである。【０００７】  また、断熱層に使用する廃棄発泡スチロールを専門的に粉砕する機械が従来にはなかったので、これに供給することができなかった。しかし、廃棄発泡スチロールを合理的、専門的に粉砕する機械が開発されることになって、安価に提供することができるようになった。【０００８】  よって、昨今の環境問題に鑑み、廃棄発泡スチロールを粉砕して保冷貯蔵庫の断熱層に再利用し、廃棄物発生量の削減と省資源化に努め、氷雪を冷熱源として利用することによって省エネルギー化にも貢献することにある。【０００９】  本発明は、氷雪を冷熱源とする保冷貯蔵庫において構造躯体壁の内側に任意間隔を隔て外面と内面との防水シートを対峙させ、少なくとも内面防水シートには無数の針孔を穿孔し、該内面防水シートと外面防水シートとの間には、廃棄発泡スチロールが所定の粒状に粉砕された発泡スチロール粒を充填して断熱層とし、且つ、発泡スチロール粒間の湿りをエアレーションさせて除去する有孔管が断熱層内に配管される断熱構造である。【００１０】  そして、外面と内面との防水シートでなる袋体を形成し、該袋体に発泡スチロール粒が充填され、この袋体を重ね積まれて断熱層とする断熱構造である。【００１１】  また、断熱層の少なくとも内面の防水シートが透明であることを特徴とする断熱構造である。【００１２】  更に、本発明は氷雪を冷熱源とする保冷貯蔵庫断熱工法において、構造躯体壁内側に、任意間隔を隔てて対峙させた外面と内面との防水シートを設け、少なくとも内面防水シートには無数の針孔を穿孔し、これら該防水シート間に廃棄発泡スチロールが所定粒状に粉砕された発泡スチロール粒を充填し、空気抜きして断熱層を構成し、そしてこの断熱層内に有孔管が配管されて、これら発泡スチロール粒間の湿りが除去されるエアレーションをする断熱工法である。【００１３】  そして、外面と内面との防水シートでなる袋体を形成し、この該袋体に発泡スチロール粒が充填され、空気抜きし、これらの袋体を重ね積みして断熱層を構築するものである。
【発明の効果】
【００１４】  本発明は、断熱構造が廃棄発泡スチロールを所定の粒状に粉砕した発泡スチロール粒で断熱層を構成するので、軽量で、且つ安価で、しかも廃棄発泡スチロールを再利用するので環境負荷を軽減し、省資源化を努めることができるものである。
また、防水シート間に充填された発泡スチロール粒は、防水シートとともに撥水性であるので、これら自身が含水されることなく、湿り気を帯びるとすれば、防水シートと発泡スチロール粒との間、及び発泡スチロール粒同志間であって、この湿り気のある断熱層は、断熱効果を軽減するとともに湿度調整に支障を来たすことになるが、本発明は、断熱層に有孔管を配管し、エアレーションすることによって、断熱効果と湿度調整とを向上させることができる。
更にまた、内面防水シートには、無数の針孔が穿孔されており、断熱層内に配管された有孔管でのエアレーションによって、針孔が極く小さな孔であるが故に、氷雪冷熱源とする保冷貯蔵庫の庫内湿度が高くされた状態での調整をすることができる。【００１５】  本発明は、断熱構造が廃棄発泡スチロールを所定の粒状に粉砕した発泡スチロール粒と、防水シートとなどで構築するので、これら材料が軽量で、変形容易な為、断熱構造の構築の作業が容易で、且つ種々の大きさ、形態の保冷貯蔵庫を構築することができる。
また、断熱層を構築するに当って、少なくとも内面防水シートに無数の針孔が穿孔されているので、廃棄発泡スチロール粒を内面と外面との防水シート間に充填する際、空気と共に充填される廃棄発泡スチロール粒の空気抜きとなるので、充填作業が容易にできることになる。
【発明を実施するための形態】
【００１６】  本発明の氷雪を冷熱源とする保冷貯蔵庫を図面に基づいて説明する。図１は、構造躯体壁４の内側に、任意間隔を隔てて配設された内面防水シート２と外面防水シート３とを対峙させ、少なくとも内面防水シートには、無数の針孔を穿孔し、且つ透明なビニールシートとし、該内面防水シートと外面防水シートとの間には、廃棄発泡スチロールが所定粒状に粉砕された発泡スチロール粒にして充填されて断熱層とし、該断熱層内には、エアレーションを起す有孔管が配設されている断熱構造でなる氷雪を冷熱源とする保冷貯蔵庫である。
氷雪は、氷雪容器６に入れられて、保冷貯蔵庫の任意位置に配置され、０℃の氷雪と、０℃の水との８０ｃａｌの潜熱を有効利用できるようにしている。
７は、二重窓、８は出入り口である。
【００１７】  図２は、構造躯体壁４の内側に、内面防水シート２１と外面防水シート３１とでなる袋体１１を形成し、少なくとも内面防水シート２１には無数の針孔を穿孔し、且つ透明なビニールシートとし、袋体には、廃棄発泡スチロールが所定粒状に粉砕された発泡スチロール粒を充填し、これらの袋体１１を積み重ねられて断熱層を構築する。断熱層内には、エアレーションができるように有孔管が配管されている。
なお、９は屋根を支える支柱である。
【００１８】  図３は、断熱構造の詳細を示す。
構造躯体壁４の内側に任意間隔を隔てて配設された内面防水シート２、２１と外面防水シート３、３１と間には廃棄発泡スチロールが所定粒状に粉砕された発泡スチロール粒１を充填し、少なくとも、内面防水シート２、２１には無数の針孔１０が穿孔され、且つ透明なビニールシートでなっている。このように構成された断熱層にはエアレーションできるようにする孔５ａを有する有孔管５が配管されている。
【００１９】  ところで、保冷貯蔵庫の最適状態は、花きの保冷の場合には、温度４℃〜７℃、湿度８５〜９５％、野菜の保冷の場合には、温度２℃〜１０℃、湿度８５〜９５％とされている。
よって、花き、野菜の保冷貯蔵庫には、低温で且つ高湿度であることを必要とし、保冷貯蔵庫の断熱構造は、それに適応していなければならない。
【００２０】  このような状態下における保冷貯蔵庫の断熱構造が、少なくとも、内面防水シート２、２１に無数の針孔１０を穿孔したその内面防水シートと外面防水シート３、３１と間に発泡スチロール粒１が充填された断熱層でなり、該断熱層に有孔管が配管されることによって、目的を達成できるようになる。
防水シートの無数の針孔１０は、発泡スチロール粒を該防水シート間に充填するときの空気抜きとなるのみならず、断熱層内に配管された有孔管５によるエアレーションでも有効な働きをし、まして、針孔が極小さな孔である為に、湿り空気の流通が行われても、水などは流通しにくくしている。そこで、湿り気が断熱層内からの流出はあっても、流入がなく、よって、湿度の調整がしやすくしている。
【００２１】  ところで、少なくとも内面防水シート２、２１が透明なビニールシートでなっているので、断熱層の内部の状態が視ることができ、発泡スチロールの充填状態及び、エアレーションの状態、特に、断熱層内部に結露を生じていないことが確認できる。
【００２２】  更に、断熱層の発泡スチロール粒１の充填は、この発泡スチロール粒同志がバルブの役割を果たし、空気の流出の調整をすることになり、よって、断熱層の所要の幅は、温度、及び湿度を安定させることになる。
【００２３】  そこで、産業廃棄物として廃棄された発泡スチロールを粉砕して発泡スチロール粒として、断熱材に再利用し、氷雪を冷熱源とする保冷貯蔵庫について、断熱構造がその断熱層の厚さの変化と、氷雪の保存状態について、比較試験することにする。断熱層が全くない防水シートのみで形成されるものをＡ室とし、断熱層の厚さを１００ｍｍとするものをＢ室とし、断熱層の厚さを２００ｍｍとするものをＣ室とし、断熱層の厚さを３００ｍｍとするものをＤ室とする。
これら各室に入れ設置される容器には密圧された雪が重量１５ｋｇ、容積４９，５００ｃｍ３として、Ａ乃至Ｄ室の温度・湿度の変化を計測すると、表１のとおりになる。
【００２４】
【表１】
【００２５】  Ａ室乃至Ｄ室に入れられた試験後の雪の残量は表２のとおりになる。
【００２６】
【表２】
2007303801.tif 000003
【００２７】  試験結果、Ａ室の温度、湿度変化は激しく振れているが、Ｂ、Ｃ、Ｄ室の温度、湿度の変化は比較的緩やかで、特にＤ室の温度、湿度の変化は最も少なかった。
また、雪の試験後の質量は、Ａ室の場合には極端に減少し、断熱層の厚さが大きいもの程、即ちＤ室の場合、残存量が多かった。
【図面の簡単な説明】
【００２８】
【図１】氷雪を冷熱源とする保冷貯蔵庫の形態図である。
【図２】発泡スチロール粒を充填した袋体を重ね積みして構築された保冷貯蔵庫の形態図である。
【図３】保冷貯蔵庫の断熱構造の部分図である。
【表１】
氷雪を冷熱源とする保冷貯蔵庫の温度・湿度の変化を示す表である。
【符号の説明】
【００２９】１．  発泡スチロール粒
１１．袋体
２．  内面防水シート
２１  袋体の内面防水シート
３．  外面防水シート
３１．袋体の外面防水シート
４．  構造躯体壁
５．  有孔管
５ａ．孔
６．  氷雪容器
１０．針孔
【図１】
2007303801.tif 000004
【図２】
2007303801.tif 000005
【図３】
2007303801.tif 000006
2007303801.tif 000007